(57)【要約】  ヘッドフォンスピーカーシステムは（左右の）オーバーイヤースピーカーおよび（左右の）インナーイヤースピーカーを含む。左オーバーイヤースピーカーおよび右オーバーイヤースピーカーは、サラウンドサウンドプロセッサからオーディオ信号の左サラウンドオーディオチャンネルとオーディオ信号の右サラウンドオーディオチャンネルとをそれぞれ受信するように構成され、ユーザーの左外耳道の外側とユーザーの右外耳道の外側とにそれぞれ配置されるように構成される。左インナーイヤースピーカーおよび右インナーイヤースピーカーは、サラウンドサウンドプロセッサからオーディオ信号の左フロントオーディオチャンネルとオーディオ信号の右フロントオーディオチャンネルとをそれぞれ受信するように構成され、少なくとも部分的にユーザーの左外耳道の内部と少なくとも部分的にユーザーの右外耳道の内部とにそれぞれ配置されるように構成される。
2021516900.tif 000002
【特許請求の範囲】
【請求項１】
一又は複数のサラウンドサウンドプロセッサからオーディオ信号の左サラウンドオーディオチャンネルを受信するように構成されるとともに、ユーザーの左外耳道の外側に配置されるように構成された左オーバーイヤースピーカーと、
前記一又は複数のサラウンドサウンドプロセッサから前記オーディオ信号の右サラウンドオーディオチャンネルを受信するように構成されるとともに、前記ユーザーの右外耳道の外側に配置されるように構成された右オーバーイヤースピーカーと、
前記一又は複数のサラウンドサウンドプロセッサから前記オーディオ信号の左フロントオーディオチャンネルを受信するように構成されるとともに、少なくとも部分的に前記ユーザーの左外耳道の内部に配置されるように構成された左インナーイヤースピーカーと、
前記一又は複数のサラウンドサウンドプロセッサから前記オーディオ信号の右フロントオーディオチャンネルを受信するように構成されるとともに、少なくとも部分的に前記ユーザーの右外耳道の内部に配置されるように構成された右インナーイヤースピーカーと、
を備える、ヘッドフォンスピーカーシステム。
【請求項２】
前記左オーバーイヤースピーカーは、前記左サラウンドオーディオチャンネルに基づいて左サラウンドサウンドを生成するように構成され、
前記右オーバーイヤースピーカーは、前記右サラウンドオーディオチャンネルに基づいて右サラウンドサウンドを生成するように構成され、
前記左インナーイヤースピーカーは、前記左フロントオーディオチャンネルに基づいて左フロントサウンドを生成するように構成され、
前記右インナーイヤースピーカーは、前記右フロントオーディオチャンネルに基づいて右フロントサウンドを生成するように構成される、
請求項１に記載のヘッドフォンスピーカーシステム。
【請求項３】
前記左インナーイヤースピーカーは、前記一又は複数のサラウンドサウンドプロセッサから前記オーディオ信号の左センターオーディオチャンネルを受信するように構成されるとともに、前記左センターオーディオチャンネルに基づいて左センターサウンドを生成するように構成され、
前記右インナーイヤースピーカーは、前記一又は複数のサラウンドサウンドプロセッサから前記オーディオ信号の右センターオーディオチャンネルを受信するように構成されるとともに、前記右センターオーディオチャンネルに基づいて右センターサウンドを生成するように構成される、
請求項１に記載のヘッドフォンスピーカーシステム。
【請求項４】
前記左オーバーイヤースピーカーは、前記一又は複数のサラウンドサウンドプロセッサから前記オーディオ信号の左サブウーファーオーディオチャンネルを受信するように構成されるとともに、前記左サブウーファーオーディオチャンネルに基づいて左サブウーファーサウンドを生成するように構成され、
前記右オーバーイヤースピーカーは、前記一又は複数のサラウンドサウンドプロセッサから前記オーディオ信号の右サブウーファーオーディオチャンネルを受信するように構成されるとともに、前記右サブウーファーオーディオチャンネルに基づいて右サブウーファーサウンドを生成するように構成される、
請求項１に記載のヘッドフォンスピーカーシステム。
【請求項５】
前記左インナーイヤースピーカーを収容する前記ヘッドフォンスピーカーシステムの左インナーイヤー部と、前記左オーバーイヤースピーカーを収容する前記ヘッドフォンスピーカーシステムの左オーバーイヤー部とを可動的に接続する左ケーブルと、
前記右インナーイヤースピーカーを収容する前記ヘッドフォンスピーカーシステムの右インナーイヤー部と、前記右オーバーイヤースピーカーを収容する前記ヘッドフォンスピーカーシステムの右オーバーイヤー部とを可動的に接続する右ケーブルと、
をさらに備える、請求項１に記載のヘッドフォンスピーカーシステム。
【請求項６】
前記左インナーイヤースピーカーを収容する前記ヘッドフォンスピーカーシステムの左インナーイヤー部と、前記左オーバーイヤースピーカーを収容する前記ヘッドフォンスピーカーシステムの左オーバーイヤー部とを可動的に接続する左ヒンジと、
前記右インナーイヤースピーカーを収容する前記ヘッドフォンスピーカーシステムの右インナーイヤー部と、前記右オーバーイヤースピーカーを収容する前記ヘッドフォンスピーカーシステムの右オーバーイヤー部とを可動的に接続する右ヒンジと、
をさらに備える、請求項１に記載のヘッドフォンスピーカーシステム。
【請求項７】
前記左インナーイヤースピーカーは、前記左オーバーイヤースピーカーからの音を通過させる少なくとも１つの開口部を有し、
前記右インナーイヤースピーカーは、前記右オーバーイヤースピーカーからの音を通過させる少なくとも１つの開口部を有する、
請求項１に記載のヘッドフォンスピーカーシステム。
【請求項８】
前記一又は複数のサラウンドサウンドプロセッサをさらに備え、
前記一又は複数のサラウンドサウンドプロセッサは、
外部オーディオソースから前記オーディオ信号を受信し、
前記オーディオ信号を、前記左サラウンドオーディオチャンネルと、前記右サラウンドオーディオチャンネルと、前記左フロントオーディオチャンネルと、前記右フロントオーディオチャンネルとに分離し、
前記左サラウンドオーディオチャンネルを前記左オーバーイヤースピーカーに、前記右サラウンドオーディオチャンネルを前記右オーバーイヤースピーカーに、前記左フロントオーディオチャンネルを前記左インナーイヤースピーカーに、前記右フロントオーディオチャンネルを前記右インナーイヤースピーカーに、それぞれ出力するようにプログラムされている、
請求項１に記載のヘッドフォンスピーカーシステム。
【請求項９】
前記一又は複数のサラウンドサウンドプロセッサは、前記左サラウンドオーディオチャンネルに基づく左サラウンドサウンド、前記右サラウンドオーディオチャンネルに基づく右サラウンドサウンド、前記左フロントオーディオチャンネルに基づく左フロントサウンド、および前記右フロントオーディオチャンネルに基づく右フロントサウンドが前記ユーザーの耳に同時に聞こえるように、前記左フロントオーディオチャンネルおよび前記右フロントオーディオチャンネルの出力を所定量だけ遅延させるようにプログラムされている、請求項８に記載のヘッドフォンスピーカーシステム。
【請求項１０】
前記所定量は、前記左オーバーイヤースピーカーと前記左インナーイヤースピーカーとの間の距離、および前記右オーバーイヤースピーカーと前記右インナーイヤースピーカーとの間の距離に基づく、請求項９に記載のヘッドフォンスピーカーシステム。
【請求項１１】
前記一又は複数のサラウンドサウンドプロセッサは、ユーザー入力に基づいて前記オーディオ信号の複数の周波数のゲインを調整するようにプログラムされている、請求項１に記載のヘッドフォンスピーカーシステム。
【請求項１２】
前記左オーバーイヤースピーカーは、前記左サラウンドサウンドが前記ユーザーの左外耳道に直接向けられるように配置され、
前記右オーバーイヤースピーカーは、前記右サラウンドサウンドが前記ユーザーの右外耳道に直接向けられるように配置され、
前記左インナーイヤースピーカーは、前記左フロントサウンドが前記ユーザーの左外耳道に直接向けられるように配置され、
前記右インナーイヤースピーカーは、前記右フロントサウンドが前記ユーザーの右外耳道に直接向けられるように配置される、
請求項２に記載のヘッドフォンスピーカーシステム。
【請求項１３】
前記一又は複数のサラウンドサウンドプロセッサは、有線または無線の接続を介して外部オーディオソースから前記オーディオ信号を受信するようにプログラムされている、請求項１に記載のヘッドフォンスピーカーシステム。
【請求項１４】
前記一又は複数のサラウンドサウンドプロセッサ、前記左オーバーイヤースピーカー、前記右オーバーイヤースピーカー、前記左インナーイヤースピーカー、および前記右インナーイヤースピーカーに電力を供給するように構成された充電式バッテリをさらに備える、請求項１に記載のヘッドフォンスピーカーシステム。
【請求項１５】
前記左オーバーイヤースピーカーは、前記左サラウンドオーディオチャンネルを左サラウンドサウンドに変換するように構成された少なくとも１つのドライバーを含み、
前記右オーバーイヤースピーカーは、前記右サラウンドオーディオチャンネルを右サラウンドサウンドに変換するように構成された少なくとも１つのドライバーを含み、
前記左インナーイヤースピーカーは、前記左フロントオーディオチャンネルを左フロントサウンドに変換するように構成された少なくとも１つのドライバーを含み、
前記右インナーイヤースピーカーは、前記右フロントオーディオチャンネルを右フロントサウンドに変換するように構成された少なくとも１つのドライバーを含む、
請求項１に記載のヘッドフォンスピーカーシステム。
【請求項１６】
前記一又は複数のサラウンドサウンドプロセッサは、前記左オーバーイヤースピーカー、前記右オーバーイヤースピーカー、前記左インナーイヤースピーカー、および前記右インナーイヤースピーカーに一又は複数のワイヤを介して接続されている、請求項１に記載のヘッドフォンスピーカーシステム。
【請求項１７】
前記一又は複数のサラウンドサウンドプロセッサは、前記左オーバーイヤースピーカー、前記右オーバーイヤースピーカー、前記左インナーイヤースピーカー、および前記右インナーイヤースピーカーに無線接続されている、請求項１に記載のヘッドフォンスピーカーシステム。
【請求項１８】
前記左オーバーイヤースピーカーを収容する前記ヘッドフォンスピーカーシステムの左オーバーイヤー部と、前記右オーバーイヤースピーカーを収容する前記ヘッドフォンスピーカーシステムの右オーバーイヤー部とを物理的に接続するコネクタ部をさらに備える、請求項１に記載のヘッドフォンスピーカーシステム。
【請求項１９】
オーディオ信号を受信するように構成された一又は複数のサラウンドサウンドプロセッサと、
前記一又は複数のサラウンドサウンドプロセッサから前記オーディオ信号の左サラウンドオーディオチャンネルを受信するように構成されるとともに、ユーザーの左外耳道の外側に配置されるように構成された左オーバーイヤースピーカーと、
前記一又は複数のサラウンドサウンドプロセッサから前記オーディオ信号の右サラウンドオーディオチャンネルを受信するように構成されるとともに、前記ユーザーの右外耳道の外側に配置されるように構成された右オーバーイヤースピーカーと、
前記一又は複数のサラウンドサウンドプロセッサから前記オーディオ信号の左フロントオーディオチャンネルを受信するように構成されるとともに、少なくとも部分的に前記ユーザーの左外耳道の内部に配置されるように構成された左インナーイヤースピーカーと、
前記一又は複数のサラウンドサウンドプロセッサから前記オーディオ信号の右フロントオーディオチャンネルを受信するように構成されるとともに、少なくとも部分的に前記ユーザーの右外耳道の内部に配置されるように構成された右インナーイヤースピーカーと、
を備える、ヘッドフォンスピーカーシステム。
【請求項２０】
前記サラウンドサウンドプロセッサが、
前記オーディオ信号を、前記左サラウンドオーディオチャンネルと、前記右サラウンドオーディオチャンネルと、前記左フロントオーディオチャンネルと、前記右フロントオーディオチャンネルとに分離し、
前記左サラウンドオーディオチャンネルを前記左オーバーイヤースピーカーに、前記右サラウンドオーディオチャンネルを前記右オーバーイヤースピーカーに、前記左フロントオーディオチャンネルを前記左インナーイヤースピーカーに、前記右フロントオーディオチャンネルを前記右インナーイヤースピーカーに、それぞれ出力するようにプログラムされている、
請求項１９に記載のヘッドフォンスピーカーシステム。
【請求項２１】
前記一又は複数のサラウンドサウンドプロセッサは、前記左オーバーイヤースピーカー、前記右オーバーイヤースピーカー、前記左インナーイヤースピーカー、および前記右インナーイヤースピーカーに一又は複数のワイヤを介して接続されている、請求項１９に記載のヘッドフォンスピーカーシステム。
【請求項２２】
前記一又は複数のサラウンドサウンドプロセッサは、前記左オーバーイヤースピーカー、前記右オーバーイヤースピーカー、前記左インナーイヤースピーカー、および前記右インナーイヤースピーカーに無線接続されている、請求項１９に記載のヘッドフォンスピーカーシステム。
【請求項２３】
前記左インナーイヤースピーカーを収容する前記ヘッドフォンスピーカーシステムの左インナーイヤー部と、前記左オーバーイヤースピーカーを収容する前記ヘッドフォンスピーカーシステムの左オーバーイヤー部とを可動的に接続する左ケーブルと、
前記右インナーイヤースピーカーを収容する前記ヘッドフォンスピーカーシステムの右インナーイヤー部と、前記右オーバーイヤースピーカーを収容する前記ヘッドフォンスピーカーシステムの右オーバーイヤー部とを可動的に接続する右ケーブルと、
をさらに備える、請求項１９に記載のヘッドフォンスピーカーシステム。
【請求項２４】
前記左インナーイヤースピーカーを収容する前記ヘッドフォンスピーカーシステムの左インナーイヤー部と、前記左オーバーイヤースピーカーを収容する前記ヘッドフォンスピーカーシステムの左オーバーイヤー部とを可動的に接続する左ヒンジと、
前記右インナーイヤースピーカーを収容する前記ヘッドフォンスピーカーシステムの右インナーイヤー部と、前記右オーバーイヤースピーカーを収容する前記ヘッドフォンスピーカーシステムの右オーバーイヤー部とを可動的に接続する右ヒンジと、
をさらに備える、請求項１９に記載のヘッドフォンスピーカーシステム。
【請求項２５】
前記左オーバーイヤースピーカーを収容する前記ヘッドフォンスピーカーシステムの左オーバーイヤー部と、前記右オーバーイヤースピーカーを収容する前記ヘッドフォンスピーカーシステムの右オーバーイヤー部とを物理的に接続するコネクタ部をさらに備える、請求項１９に記載のヘッドフォンスピーカーシステム。
【請求項２６】
ヘッドフォンスピーカーシステムによってオーディオ信号のオーディオチャンネルを受信する方法であって、
前記ヘッドフォンスピーカーシステムの左オーバーイヤースピーカーによって、一又は複数のサラウンドサウンドプロセッサから前記オーディオ信号の左サラウンドオーディオチャンネルを受信する工程であって、前記左オーバーイヤースピーカーはユーザーの左外耳道の外側に配置されるように構成される、工程と、
前記ヘッドフォンスピーカーシステムの右オーバーイヤースピーカーによって、前記一又は複数のサラウンドサウンドプロセッサから前記オーディオ信号の右サラウンドオーディオチャンネルを受信する工程であって、前記右オーバーイヤースピーカーは前記ユーザーの右外耳道の外側に配置されるように構成される、工程と、
前記ヘッドフォンスピーカーシステムの左インナーイヤースピーカーによって、前記一又は複数のサラウンドサウンドプロセッサから前記オーディオ信号の左フロントオーディオチャンネルを受信する工程であって、前記左インナーイヤースピーカーは少なくとも部分的に前記ユーザーの左外耳道の内部に配置されるように構成される、工程と、
前記ヘッドフォンスピーカーシステムの右インナーイヤースピーカーによって、前記一又は複数のサラウンドサウンドプロセッサから前記オーディオ信号の右フロントオーディオチャンネルを受信する工程であって、前記右インナーイヤースピーカーは少なくとも部分的に前記ユーザーの右外耳道の内部に配置されるように構成される、工程と、
を備える方法。
【請求項２７】
前記左オーバーイヤースピーカーによって、受信した前記左サラウンドオーディオチャンネルに基づいて左サラウンドサウンドを生成する工程と、
前記右オーバーイヤースピーカーによって、受信した前記右サラウンドオーディオチャンネルに基づいて右サラウンドサウンドを生成する工程と、
前記左インナーイヤースピーカーによって、受信した前記左フロントオーディオチャンネルに基づいて左フロンサウンドを生成する工程と、
前記右インナーイヤースピーカーによって、受信した前記右フロントオーディオチャンネルに基づいて右フロンサウンドを生成する工程と、
をさらに備える、請求項２６に記載の方法。
【発明の詳細な説明】
【技術分野】
【０００１】
関連出願の相互参照
本出願は、米国特許仮出願第６２／６４２，２７５号（出願日：２０１８年３月１３日）に基づく優先権を主張するものであり、この米国特許仮出願の開示は、参照により全体として明示的に本明細書に組み込まれるとともに、その権利が本出願の権利譲受人に付与される。
【０００２】
本発明はヘッドフォンスピーカーシステムに関する。
【背景技術】
【０００３】
従来のヘッドフォンは、通常、ユーザーの外耳道とユーザーの鼓膜からすべて同じ距離にある、オーバーイヤーヘッドセットに埋め込まれたスピーカーのアレイを使用している。他の従来のヘッドフォンは、その少なくとも一部がユーザーの外耳道内に延びるスピーカーシステムを有している。しかしながら、これらのシステム、およびそれらを組み合わせようとするあらゆる試みは、ユーザー体験に対する効果が限定的である。
【発明の概要】
【０００４】
本発明の態様は、インナーイヤースピーカーとオーバーイヤースピーカーとを含むヘッドフォンスピーカーシステム、およびインナーイヤースピーカーとオーバーイヤースピーカーとによってオーディオチャンネルを受信し、（オーディオチャンネルに基づいて生成された）オーディオサウンドをインナーイヤースピーカーとオーバーイヤースピーカーとを介して出力する方法に関する。
【０００５】
本発明の一態様は、インナーイヤースピーカーおよびオーバーイヤースピーカーを含み、真正なサラウンドサウンド効果を実現するヘッドフォンスピーカーシステムに関する。インナーイヤースピーカーはフロントオーディオチャンネルを受信するとともに、少なくとも部分的にユーザーの外耳道の内部に配置されるように構成され、オーバーイヤースピーカーはサラウンドオーディオチャンネルを受信するとともに、ユーザーの外耳道の外側に配置されるように構成される。このようなヘッドフォンスピーカーシステムが真正なサラウンドサウンド効果を実現する。
【０００６】
本発明の別の態様は、インナーイヤースピーカー、オーバーイヤースピーカー、および一又は複数のサラウンドサウンドプロセッサを含むヘッドフォンスピーカーシステムに関する。一又は複数のサラウンドサウンドプロセッサはオーディオ信号を受信するように構成され、インナーイヤースピーカーは一又は複数のサラウンドサウンドプロセッサからフロントオーディオチャンネルを受信するとともに、少なくとも部分的にユーザーの外耳道の内部に配置されるように構成され、オーバーイヤースピーカーは一又は複数のサラウンドサウンドプロセッサからサラウンドオーディオチャンネルを受信するとともに、ユーザーの外耳道の外側に配置されるように構成される。このようなヘッドフォンスピーカーシステムが真正なサラウンドサウンド効果を実現する。
【０００７】
本発明の別の態様は、ヘッドフォンスピーカーシステムによってオーディオチャンネルを受信する方法に関する。この方法は、ユーザーの外耳道の外側に配置されるように構成されたオーバーイヤースピーカーによってサラウンドオーディオチャンネルを受信する工程と、少なくとも部分的にユーザーの外耳道の内部に配置されるように構成されたインナーイヤースピーカーによってフロントオーディオチャンネルを受信する工程とを含んでもよい。このように、オーバーイヤースピーカーおよびインナーイヤースピーカーを介してオーディオチャンネルを受信すること（さらには受信したオーディオチャンネルに基づいてサウンドを出力すること）によって、真正なサラウンドサウンド効果が実現される。
【０００８】
上記以外の本発明のさまざまな態様、特徴および利点は、本発明の詳細な説明および添付の図面を参照することによって明らかになるであろう。また、上記の概要および以下の詳細な説明は共に例示に過ぎず、本発明の範囲を限定するものではないと理解されたい。本明細書および特許請求の範囲で用いる場合、単数形の「ａ」、「ａｎ」、および「ｔｈｅ」は複数を示唆するものである。ただし、文脈によって別に解すべきことが明白な場合はこの限りでない。さらに、本明細書および特許請求の範囲で用いる場合、「または」という用語は「および／または」を意味する。ただし、文脈によって別に解すべきことが明白な場合はこの限りではない。
【図面の簡単な説明】
【０００９】
【図１Ａ】ヘッドフォンスピーカーシステム、プロセッサ、およびオーディオソースを含むオーディオシステムの例示的な実施形態を示す。
【００１０】
【図１Ｂ】ヘッドフォンスピーカーシステムおよびオーディオソースを含むオーディオシステムの例示的な実施形態を示す。
【００１１】
【図２Ａ】ヘッドフォンスピーカーシステムの例示的な実施形態を示す。
【図２Ｂ】ヘッドフォンスピーカーシステムの例示的な実施形態を示す。
【図２Ｃ】ヘッドフォンスピーカーシステムの例示的な実施形態を示す。
【図２Ｄ】ヘッドフォンスピーカーシステムの例示的な実施形態を示す。
【図２Ｅ】ヘッドフォンスピーカーシステムの例示的な実施形態を示す。
【図２Ｆ】ヘッドフォンスピーカーシステムの例示的な実施形態を示す。
【００１２】
【図３】オーディオチャンネルを受信しオーディオサウンドを出力する例示的な方法を示す。
【発明を実施するための形態】
【００１３】
以下の記載において、本発明の実施形態を完全に理解できるように、説明を目的として、多くの具体的且つ詳細な内容を記載する。しかしながら、当業者であれば、これらの具体的且つ詳細な内容がなくとも、または、均等な構成でも、本発明の実施形態が実施され得ることを理解するであろう。他の例では、本発明の各実施形態を不必要に不明瞭にすることを避ける目的で、周知の構造およびデバイスがブロック図の形式で示される。
【００１４】
図１Ａは、オーディオソース１０２、プロセッサ１０４、およびヘッドフォンスピーカーシステム１０６を含むオーディオシステムを示す。ヘッドフォンスピーカーシステム１０６は、左インナーイヤースピーカー１０８、右インナーイヤースピーカー１１０、左オーバーイヤースピーカー１１２、および右オーバーイヤースピーカー１１４を含む（例えば、オーバーイヤースピーカーは、インナーイヤースピーカーよりも大きい）。図１Ａでは、左インナーイヤースピーカー１０８、右インナーイヤースピーカー１１０、左オーバーイヤースピーカー１１２、および右オーバーイヤースピーカー１１４がそれぞれ１つずつのみ図示されているが、ヘッドフォンスピーカーシステム１０６は、左インナーイヤースピーカー１０８、右インナーイヤースピーカー１１０、左オーバーイヤースピーカー１１２、および右オーバーイヤースピーカー１１４をそれぞれ複数含み得ることを理解されたい。さらに、このシステムは、複数のオーディオソース１０２と複数のプロセッサ１０４とを含むことができる。
【００１５】
オーディオソース１０２は、オーディオ信号をプロセッサ１０４に提供する。オーディオ信号は、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、および右サブウーファーオーディオチャンネルのうちの１つ以上を含むことができる。なお、プロセッサ１０４が受信するオーディオチャンネルは、上述したものに限定されるものではなく、他の任意のオーディオチャンネルを含むことができる。
【００１６】
プロセッサ１０４（例えば、Ｃｒｅａｔｉｖｅ  Ｓｏｕｎｄｂｌａｓｔｅｒ  Ｏｍｎｉ  ＨＤ  ５．１のようなマルチチャンネルサウンドカード、または任意のサラウンドサウンドプロセッサ）は、オーディオ信号を受信し、オーディオ信号を複数のオーディオチャンネル（またはコンポーネント）に分離する。例えば、プロセッサ１０４がオーディオソース１０２からオーディオ信号を受信すると、プロセッサ１０４はオーディオ信号を、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、右サブウーファーオーディオチャンネルに分離してもよい。プロセッサ１０４によってオーディオチャンネルに分離されると、これら分離されたオーディオチャンネルは、左インナーイヤースピーカー１０８、右インナーイヤースピーカー１１０、左オーバーイヤースピーカー１１２、右オーバーイヤースピーカー１１４に送信される。例えば、左インナーイヤースピーカー１０８は左フロントオーディオチャンネルを受信してもよく、右インナーイヤースピーカー１１０は右フロントオーディオチャンネルを受信してもよく、左オーバーイヤースピーカー１１２は左サラウンドオーディオチャンネルを受信してもよく、右オーバーイヤースピーカー１１４は右サラウンドオーディオチャンネルを受信してもよい。さらに、左インナーイヤースピーカー１０８および右インナーイヤースピーカー１１０は、それぞれ左センターオーディオチャンネルおよび右センターオーディオチャンネルを受信してもよく、左オーバーイヤースピーカー１１２および右オーバーイヤースピーカー１１４は、それぞれ左サブウーファオーディオチャンネルおよび右サブウーファオーディオチャンネルを受信してもよい。オーディオソース１０２からのオーディオ信号が複数のオーディオチャンネルを含まない場合、単一のオーディオチャンネルを左インナーイヤースピーカー１０８、右インナーイヤースピーカー１１０、左オーバーイヤースピーカー１１２、および右オーバーイヤースピーカー１１４が受信して、これらのスピーカーから音を発生させることができる。
【００１７】
図１Ａに図示されたスピーカーの各々（すなわち、左インナーイヤースピーカー１０８、右インナーイヤースピーカー１１０、左オーバーイヤースピーカー１１２、および右オーバーイヤースピーカー１１４）は、受信したオーディオチャンネル（例えば、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファオーディオチャンネル、および右サブウーファオーディオチャンネル）を１つ以上の可聴音に変換する１つ以上のドライバ１０９、１１１、１１３、および１１５を含んでもよい。例えば、左オーバーイヤースピーカー１１２は、左サラウンドオーディオチャンネルを左サラウンドサウンドに変換して左サラウンドサウンドを発生させ、右オーバーイヤースピーカー１１４は、右サラウンドオーディオチャンネルを右サラウンドサウンドに変換して右サラウンドサウンドを発生させ、左インナーイヤースピーカー１０８は、左フロントオーディオチャンネルを左フロントサウンドに変換して左フロントサウンドを発生させ、右インナーイヤースピーカー１１０は、右フロントオーディオチャンネルを右フロントサウンドに変換して右フロントサウンドを発生させる。さらに、例えば、左インナーイヤースピーカー１０８は、左センターオーディオチャンネルを左センターサウンドに変換して左センターサウンドを発生させ、右インナーイヤースピーカー１１０は、右センターオーディオチャンネルを右センターサウンドに変換して右センターサウンドを発生させ、左オーバーイヤースピーカー１１２は、左サブウーファーオーディオチャンネルを変換して左サブウーファーサウンドを発生させ、右オーバーイヤースピーカー１１４は、右サブウーファーオーディオチャンネルを変換して右サブウーファーサウンドを発生させる。オーバーイヤースピーカー１１２、１１４は、インナーイヤースピーカー１０８、１１０よりも大きいので、オーバーイヤースピーカー１１２、１１４は、インナーイヤースピーカー１０８、１１０よりも低周波のエネルギー（例えば、サブウーファーサウンド）を効率よく発することができる。さらに、ステレオ再生は、主にインナーイヤースピーカー１０８、１１０を介して再生されてもよい。プロセッサ１０４を追加すること（例えば、図１Ｂのヘッドフォンスピーカーシステム１１６内におけるように）により、部屋または音響空間がシミュレートされ、残響効果がオーバーイヤースピーカー１１２、１１４を介して再生され得る。
【００１８】
上述した異なるスピーカー（すなわち、左インナーイヤースピーカー１０８、右インナーイヤースピーカー１１０、左オーバーイヤースピーカー１１２、および右オーバーイヤースピーカー１１４）は、ヘッドフォンスピーカーシステム１０６の異なる部分に含まれてもよい。例えば、左オーバーイヤースピーカー１１２は、ヘッドフォンスピーカーシステム１０６を使用するユーザーの左外耳道の外側（例えば、ユーザーの左耳介に被さる位置）に位置するように、ヘッドフォンスピーカーシステム１０６の左オーバーイヤー部（例えば、図２Ａ〜２Ｆの左オーバーイヤー部２０８を参照）に含まれてもよく、右オーバーイヤースピーカー１１４は、ヘッドフォンスピーカーシステム１０６を使用するユーザーの右外耳道の外側（例えば、ユーザーの右耳介に被さる位置）に位置するように、ヘッドフォンスピーカーシステム１０６の右オーバーイヤー部（例えば、図２Ａ〜２Ｆの右オーバーイヤー部２０２を参照）に含まれてもよく、左インナーイヤースピーカー１０８は、ヘッドフォンスピーカーシステム１０６を使用するユーザーの左外耳道内に少なくとも部分的に位置するように、ヘッドフォンスピーカーシステム１０６の左インナーイヤー部（例えば、図２Ａ〜２Ｄおよび図２Ｆの左インナーイヤー部２０６を参照）に含まれてもよく、右インナーイヤースピーカー１１０は、ヘッドフォンスピーカーシステム１０６を使用するユーザーの右外耳道内に少なくとも部分的に位置するように、ヘッドフォンスピーカーシステム１０６の右インナーイヤー部（例えば、図２Ａ〜２Ｅの右インナーイヤー部２０４を参照）に含まれてもよい。
【００１９】
右インナーイヤースピーカー１１０および左インナーイヤースピーカー１０８をユーザーの外耳道内に少なくとも部分的に配置することにより、ユーザーの面前で発生する音が、ユーザーの仮想環境の感覚の中でより存在感のある音に聞こえるようになる。右オーバーイヤースピーカー１１４および左オーバーイヤースピーカー１１２をユーザーの外耳道の外側に配置することにより、右インナーイヤースピーカー１１０および左インナーイヤースピーカー１０８からの音と比較して、より音的に遠く離れた別個の効果としてユーザーに聞こえるサラウンド／環境効果（ユーザーによって音量を下げたり上げたりすることができる）をユーザーに提供することができる。例えば、左オーバーイヤースピーカー１１２および右オーバーイヤースピーカー１１４が（例えば、ユーザーの外耳道の外側で）ユーザーの鼓膜から６ｍｍ離れた位置に配置され、右インナーイヤースピーカー１１０および左インナーイヤースピーカー１０８が（例えば、少なくとも部分的にユーザーの外耳道内で）ユーザーの鼓膜から３ｍｍ離れた位置に配置されている場合において、同じ音を同じ出力圧レベル（音量）で、右インナーイヤースピーカー１１０および左インナーイヤースピーカー１０８で再生し、次に左オーバーイヤースピーカー１１２および右オーバーイヤースピーカー１１４で再生すると、出力レベルを同じにしても、右インナーイヤースピーカー１１０および左インナーイヤースピーカー１０８から再生したときには（左オーバーイヤースピーカー１１２および右オーバーイヤースピーカー１１４と比較して）、（逆二乗の法則の原理により）２倍の音量で再生されているとユーザーは感じる。このように、インナーイヤースピーカー（すなわち、右インナーイヤースピーカー１１０および左インナーイヤースピーカー１０８）およびオーバーイヤースピーカー（すなわち、左オーバーイヤースピーカー１１２および右オーバーイヤースピーカー１１４）をユーザーの鼓膜からの距離において分離することにより、ユーザーの面前の音をユーザーの周囲の音よりも大きくすることができる。
【００２０】
オーバーイヤースピーカー（すなわち、左オーバーイヤースピーカー１１２および右オーバーイヤースピーカー１１４）がユーザーの外耳道からより離れていることにより、オーバーイヤースピーカー（すなわち、左オーバーイヤースピーカー１１２および右オーバーイヤースピーカー１１４）がユーザーの耳介（耳垂）と相互作用するという区別点が生じ、これにより、ユーザーは、これらの音（すなわち、左オーバーイヤースピーカー１１２および右オーバーイヤースピーカー１１４からの音）が、音の大きさおよび伝搬時間のために、耳から遠く離れていると考える（同じ音がインナーイヤースピーカーとオーバーイヤースピーカーで同時に再生された場合）。典型的なリスナーは、ヘッドフォンスピーカーシステム１０６におけるインナーイヤースピーカー（すなわち、左インナーイヤースピーカー１０８および右インナーイヤースピーカー１１０）およびオーバーイヤースピーカー（すなわち、左オーバーイヤースピーカー１１２および右オーバーイヤースピーカー１１４）の位置関係のために、自分がいる仮想環境のよりアンビエントで自然な効果を体験することになる。インナーイヤースピーカーとオーバーイヤースピーカーの位置関係は、ユーザーの外耳道や鼓膜からインナーイヤースピーカーとオーバーイヤースピーカーまでの距離の違いにより、心理音響効果を発揮することになる。また、インナーイヤースピーカーの配置により、ユーザーの面前の音が現実世界と同じように自然に聞こえるようになる。インナーイヤースピーカーとオーバーイヤースピーカーからの音は、通常のヘッドフォンのように全く同じ平面から出ているわけではないため、再生された音声によっては、ユーザーの脳はこれらの音を２つのソースとして解釈する。
【００２１】
インナーイヤースピーカー（すなわち、左インナーイヤースピーカー１０８および右インナーイヤースピーカー１１０）およびオーバーイヤースピーカー（すなわち、左オーバーイヤースピーカー１１２および右オーバーイヤースピーカー１１４）を、それぞれヘッドフォンスピーカーシステム１０６のインナーイヤー部（すなわち、図２Ａ〜２Ｆの左インナーイヤー部２０６および右インナーイヤー部２０４）およびオーバーイヤー部（すなわち、左オーバーイヤー部２０８および右オーバーイヤー部２０２）内に配置することに加えて、インナーイヤースピーカー（すなわち、左インナーイヤースピーカー１０８および右インナーイヤースピーカー１１０）およびオーバーイヤースピーカー（すなわち、左オーバーイヤースピーカー１１２および右オーバーイヤースピーカー１１４）は、ユーザーがヘッドフォンスピーカーシステム１０６を着用したときに、ユーザーの外耳道に向けて直接音を出力するように配向されている。インナーイヤースピーカー（すなわち、左インナーイヤースピーカー１０８および右インナーイヤースピーカー１１０）は、オーバーイヤースピーカー（すなわち、左オーバーイヤースピーカー１１２および右オーバーイヤースピーカー１１４）からの音を通過させる１つ以上の開口部を含む。この１つ以上の開口部はまた、インナーイヤースピーカー（すなわち、左インナーイヤースピーカー１０８および右インナーイヤースピーカー１１０）の内側からの音をオーバーイヤースピーカー（すなわち、左オーバーイヤースピーカー１１２および右オーバーイヤースピーカー１１４）へと通過させる。
【００２２】
ヘッドフォンスピーカーシステム１０６は、インナーイヤースピーカー（すなわち、左インナーイヤースピーカー１０８および右インナーイヤースピーカー１１０）およびオーバーイヤースピーカー（すなわち、左オーバーイヤースピーカー１１２および右オーバーイヤースピーカー１１４）に電力を供給する充電式または使い捨てのバッテリ１１６を、ヘッドフォンスピーカーシステム１０６内に含んでもよい。プロセッサ１０４がヘッドフォンスピーカーシステム内にある場合（図１Ｂの実施形態を参照）、充電式または使い捨てのバッテリ１１６は、プロセッサ１０４にも電力を供給してもよい。
【００２３】
さらに、プロセッサ１０４は、（例えば、ユーザー入力に応答して）オーディオソース１０２から受信するオーディオ信号を調整してもよい。例えば、プロセッサ１０４は、ユーザーの聴力の違いおよび／またはインナーイヤースピーカーおよびオーバーイヤースピーカーによって使用されるドライバの違いに対応するために、（例えば、ユーザー入力に応答して）オーディオ信号の複数の周波数のゲインを調整してもよい。目標は、ほぼ同一の周波数応答を有するようにドライバを調整することであり、この目標は、インナーイヤースピーカーおよびオーバーイヤースピーカーによって使用されているドライバの違いに対応するために、プロセッサ１０４が（例えば、ユーザー入力に応答して）オーディオ信号の複数の周波数のゲインを調整することによって達成され得る。また、プロセッサ１０４は、ユーザーの耳にインナーイヤースピーカーとオーバーイヤースピーカーからの音が同時に聞こえるように、プロセッサ１０４からインナーイヤースピーカー（すなわち、左インナーイヤースピーカー１０８および右インナーイヤースピーカー１１０）への左フロントオーディオチャンネル、右フロントオーディオチャンネル、右センターオーディオチャンネル、および左センターオーディオチャンネルの出力を所定量だけ遅延させてもよい。所定量の遅延は、左オーバーイヤースピーカーと左インナーイヤースピーカーとの間の距離、および右オーバーイヤースピーカーと右インナーイヤースピーカーとの間の距離に基づいてもよい。所定量の遅延は、オーバーイヤースピーカーがユーザーの耳から各スピーカーまでの距離を考慮することなくオーディオチャンネルを音に変換できるように、ユーザーの耳から各スピーカーまでの距離に対応するものであってもよい。
【００２４】
オーディオソース１０２、プロセッサ１０４、およびヘッドフォンスピーカーシステム１０６は、有線接続、無線接続、または有線接続と無線接続の混合（例えば、１／８インチコネクタ、ＷｉＦｉ、ブルートゥース、ＨＤＭＩ、ＵＳＢ、ＵＳＢ−Ｃ、ＵＳＢドングル、または他の技術）を介して接続されてもよい。
【００２５】
オーディオソース１０２には、任意の種類のモバイル端末、固定端末または他の装置が含まれ得る。一例として、オーディオソース１０２には、デスクトップコンピュータ、ノートブックコンピュータ、タブレットコンピュータ、スマートフォン、ウェアラブルデバイス、ＭＰ３プレイヤ、テレビ、ゲームコンソール、または他のオーディオソースが含まれ得る。さらに、プロセッサ１０４は、サラウンドサウンドプロセッサ（例えば、Ｃｒｅａｔｉｖｅ  Ｓｏｕｎｄｂｌａｓｔｅｒ  Ｏｍｎｉ  ＨＤ  ５．１のようなマルチチャンネルサウンドカード）であってもよい。プロセッサ１０４は、情報処理機能を提供するようにプログラムされてもよい。このように、プロセッサ１０４は、デジタルプロセッサ、アナログプロセッサ、情報処理用のデジタル回路、情報処理用のアナログ回路、ステートマシン、および／または情報を電子的に処理するための他の機構のうちの１つ以上を含んでもよい。一部の実施形態において、プロセッサ１０４は複数の処理ユニットを含んでもよい。これらの処理ユニットは物理的に同一の装置内に配置されてもよく、または、複数のプロセッサが、協調して動作する複数の装置の処理機能を実行してもよい。プロセッサ１０４は、ソフトウェア、ハードウェア、ファームウェア、何らかの方法で組み合わされたソフトウェア、ハードウェア、またはファームウェア、および／または、プロセッサ１０４において処理機能を設定するための他の機構によってコンピュータプログラム命令を実行するようにプログラムされてもよい。
【００２６】
ヘッドフォンスピーカーシステム１０６は、オーバーイヤースピーカー（すなわち、左オーバーイヤースピーカー１１２および右オーバーイヤースピーカー１１４）を含むオーバーイヤー部２０８、２０２（図２Ａ〜２Ｆを参照）と、インナーイヤースピーカー（すなわち、左インナーイヤースピーカー１０８および右インナーイヤースピーカー１１０）を含むインナーイヤー部２０６、２０４（図２Ａ〜２Ｆを参照）とを含んでもよい。図２Ａ〜２Ｆを参照してヘッドフォンスピーカーシステム１０６をより詳細に説明する。
【００２７】
オーディオソース１０２およびヘッドフォンスピーカーシステム１０６は、１つまたは複数の電子ストレージ、１つまたは複数のコンピュータプログラム命令でプログラムされた１つまたは複数の物理プロセッサ、および／または他の構成要素を含んでもよい。１つまたは複数の物理プロセッサは、情報処理機能を提供するようにプログラムされてもよい。このため、１つまたは複数の物理プロセッサは、デジタルプロセッサ、アナログプロセッサ、情報処理用のデジタル回路、情報処理用のアナログ回路、ステートマシン、および／または電子的に情報を処理するための他の機構のうちの１以上を含んでもよい。一部の実施形態において、１つまたは複数の物理プロセッサは複数の処理ユニットを含んでもよい。これらの処理ユニットは物理的に同一の装置内に配置されてもよく、または、複数のプロセッサが、協調して動作する複数の装置の処理機能を実行してもよい。１つまたは複数の物理プロセッサは、ソフトウェア、ハードウェア、ファームウェア、何らかの方法で組み合わされたソフトウェア、ハードウェア、またはファームウェア、および／または、１つまたは複数の物理プロセッサにおいて処理機能を設定するための他の機構によってコンピュータプログラム命令を実行するようにプログラムされてもよい。電子ストレージは、情報を電子的に記憶する非一時的記憶媒体を含み得る。電子ストレージの電子記憶媒体には、（ｉ）サーバまたはクライアントデバイスと一体に（例えば、実質的に着脱不能に）設けられたシステムストレージ、または、（ｉｉ）例えばポート（例えばＵＳＢポート、ファイヤーワイヤポート等）またはドライブ（例えばディスクドライブ等）を介してサーバまたはクライアントデバイスに着脱可能に接続されたリムーバブルストレージの一方または両方が含まれるとしてもよい。電子ストレージには、光学的に読み取り可能な記憶媒体（例えば光学ディスク等）、磁気的に読み取り可能な記憶媒体（例えば磁気テープ、磁気ハードドライブ、フロッピードライブ等）、電荷型記憶媒体（例えばＥＥＰＲＯＭ、ＲＡＭ等）、ソリッドステート記憶媒体（例えばフラッシュドライブ等）、および／または、これら以外の電子的に読み取り可能な記憶媒体のうち１または複数が含まれるとしてよい。電子ストレージは、一又は複数の仮想ストレージリソース（例えば、クラウドストレージ、仮想プライベートネットワーク、及び／又はこれら以外の仮想ストレージリソース）を含んでもよい。電子ストレージは、ソフトウェアアルゴリズム、プロセッサが決定した情報、サーバから取得した情報、クライアントデバイスから取得した情報、または、本明細書に記載する機能を可能とする他の情報を記憶してもよい。
【００２８】
図１Ｂは、オーディオソース１０２およびヘッドフォンスピーカーシステム１１６を含むオーディオシステムを示す。この例示的な実施形態では、プロセッサ１０４は、ヘッドフォンスピーカーシステム１１６の内部に配置されている（図１Ａではヘッドフォンスピーカーシステム１０６の外部に配置されている）。図１Ｂのプロセッサ１０４の配置以外については、図１Ａに関して上述したすべての詳細が図１Ｂにも適用される。したがって、簡素化のため、詳細は再度記載しない。
【００２９】
図２Ａ〜２Ｆは、左オーバーイヤー部２０８、右オーバーイヤー部２０２、左インナーイヤー部２０６、右インナーイヤー部２０４、コネクタ部２１０、ケーブル２１２、２１４、２１６、ヒンジ２４０、２４２、チャンバ２４６、２４８、凹部２５０、２５２、およびマイク２４４を含むヘッドフォンスピーカーシステム１０６／１１６を図示している。
【００３０】
左オーバーイヤー部２０８は、左オーバーイヤースピーカー１１２の１つ以上を収容してもよく、右オーバーイヤー部２０２は、右オーバーイヤースピーカー１１４の１つ以上を収容してもよく、左インナーイヤー部２０６は、左インナーイヤースピーカー１０８の１つ以上を収容してもよく、右インナーイヤー部２０４は、右インナーイヤースピーカー１１０の１つ以上を収容してもよい（図２Ｅおよび図２Ｆを参照）。
【００３１】
さらに、左オーバーイヤー部２０８は、左外側環状部２２２と、左外側環状部２２２によって囲まれた左内側環状部２２４とを含んでもよい（図２Ａ、２Ｂ、２Ｆを参照）。チャンバ２４６（図２Ｆ参照）は、左オーバーイヤー部２０８内（例えば、左内側環状部２２４と左外側環状部２２２との間）に形成されてもよく、左オーバーイヤースピーカー１１２および左インナーイヤースピーカー１０８によって生成された音は、ユーザーの外耳道に到達する前にチャンバ２４６内で反響してもよい。ヘッドフォンシステム１０６／１１６がユーザーによって使用されるとき、ユーザーの耳はチャンバ２４６内に位置してもよい。左外側環状部２２２はクッションに相当し、発泡体、弾性体、ゴム、または他の弾力性のある内部材料で形成され、柔らかい革、プラスチック、または他の柔らかい材料のカバーを有してもよい。このクッションは、着用時にユーザーに快適さを提供してもよく、ユーザーの耳に入る外部の雑音を部分的にまたは完全に遮断する機能を有してもよい。右オーバーイヤー部２０２および左オーバーイヤー部２０８（例えば、右外側環状部２１８および左外側環状部２２２）は、右オーバーイヤー部２０２および左オーバーイヤー部２０８に入る外部音を実質的に（または完全に）排除するように、ユーザーの頭部に対してシール２３８（図２Ｃおよび図２Ｄ参照）を形成してもよい（それによって、ユーザーの耳に入る外部音を排除する）。ヘッドフォンスピーカーシステム１０６／１１６はノイズキャンセリング機能を有してもよく、これにより、インナーイヤー部２０６、２０４を通過してユーザーの耳に入る音は、左オーバーイヤースピーカー１１２および右オーバーイヤースピーカー１１４によって生成される音（および左インナーイヤースピーカー１０８および右インナーイヤースピーカー１１０によって生成される音。これらの音は、ユーザーの耳、左オーバーイヤー部２０８内のチャンバ２４６の一部、および右オーバーイヤー部２０２内のチャンバ２４８の一部から反射し得る）のみとなる。左オーバーイヤースピーカー１１２および右オーバーイヤースピーカー１１４によって生成された音もまた、ユーザーの耳、左オーバーイヤー部２０８内のチャンバ２４６の一部、および右オーバーイヤー部２０２内のチャンバ２４８の一部から反射し得る。クッションは、左オーバーイヤー部分２０８がユーザーの耳に覆い被さるか、またはユーザーの耳の上に載置されるように構成されてもよい。あるいは、左外側環状部２２２は、プラスチック（または金属）で形成され、ユーザーの耳の上に載置されるように構成されたハードカバーに相当してもよい。左内側環状部２２４は、左オーバーイヤースピーカー１１２（左オーバーイヤー部２０８内に収容されている）からの音を通過させるための穴を含む、薄い／柔らかい層（例えば、布、革、または音を通過させるのに適した任意の材料）に相当してもよい。あるいは、左内側環状部２２４は、プラスチック（または金属）で形成され、左オーバーイヤースピーカー１１２（左オーバーイヤー部２０８内に収容されている）からの音を通過させるための穴を含むハードカバーに相当してもよい。左外側環状部２２２もまた、左オーバーイヤースピーカー１１２（左オーバーイヤー部２０８内に収容されている）からの音を通過させるための穴を含んでもよい。
【００３２】
同様に、右オーバーイヤー部２０２は、右外側環状部２１８と、右外側環状部２１８によって囲まれた右内側環状部２２０とを含んでもよい（図２Ａ、２Ｂ、２Ｅを参照）。チャンバ２４８（図２Ｅ参照）は、右オーバーイヤー部２０２内（例えば、右内側環状部２２０と右外側環状部２１８との間）に形成されてもよく、右オーバーイヤースピーカー１１４および右インナーイヤースピーカー１１０によって生成された音は、ユーザーの外耳道に到達する前にチャンバ２４８内で反響してもよい。ヘッドフォンシステム１０６／１１６がユーザーによって使用されるとき、ユーザーの耳はチャンバ２４８内に位置してもよい。右外側環状部２１８はクッションに相当し、発泡体、弾性体、ゴム、または他の弾力性のある内部材料で形成され、柔らかい革、プラスチック、または他の柔らかい材料のカバーを有してもよい。このクッションは、着用時にユーザーに快適さを提供してもよく、ユーザーの耳に入る外部の雑音を部分的にまたは完全に遮断する機能を有してもよい。右オーバーイヤー部２０２および左オーバーイヤー部２０８（例えば、右外側環状部２１８および左外側環状部２２２）は、右オーバーイヤー部２０２および左オーバーイヤー部２０８に入る外部音を実質的に（または完全に）排除するように、ユーザーの頭部に対してシール２３８（図２Ｃおよび図２Ｄ参照）を形成してもよい（それによって、ユーザーの耳に入る外部音を排除する）。ヘッドフォンスピーカーシステム１０６／１１６はノイズキャンセリング機能を有してもよく、これにより、インナーイヤー部２０６、２０４を通過してユーザーの耳に入る音は、左オーバーイヤースピーカー１１２および右オーバーイヤースピーカー１１４によって生成される音（および左インナーイヤースピーカー１０８および右インナーイヤースピーカー１１０によって生成される音。これらの音は、ユーザーの耳、左オーバーイヤー部２０８内のチャンバ２４６の一部、および右オーバーイヤー部２０２内のチャンバ２４８の一部から反射し得る）のみとなる。左オーバーイヤースピーカー１１２および右オーバーイヤースピーカー１１４によって生成された音もまた、ユーザーの耳、左オーバーイヤー部２０８内のチャンバ２４６の一部、および右オーバーイヤー部２０２内のチャンバ２４８の一部から反射し得る。クッションは、右オーバーイヤー部分２０２がユーザーの耳に覆い被さるか、またはユーザーの耳の上に載置されるように構成されてもよい。あるいは、右外側環状部２１８は、プラスチック（または金属）で形成され、ユーザーの耳の上に載置されるように構成されたハードカバーに相当してもよい。右内側環状部２２０は、右オーバーイヤースピーカー１１４（右オーバーイヤー部２０２内に収容されている）からの音を通過させるための穴を含む、薄い／柔らかい層（例えば、布、革、または音を通過させるのに適した任意の材料）に相当してもよい。あるいは、右内側環状部２２０は、プラスチック（または金属）で形成され、右オーバーイヤースピーカー１１４（右オーバーイヤー部２０２内に収容されている）からの音を通過させるための穴を含むハードカバーに相当してもよい。右外側環状部２１８もまた、右オーバーイヤースピーカー１１４（右オーバーイヤー部２０２内に収容されている）からの音を通過させるための穴を含んでもよい。
【００３３】
左オーバーイヤー部２０８および右オーバーイヤー部２０２はまた、ヘッドフォンスピーカーシステム１０６／１１６に入る様々なオーディオ信号のゲインおよびイコライザの設定をユーザーが手動でパンおよび調整することを可能にする追加のハードウェア（例えば、小型ミキシングボードハードウェア）を含んでもよい。あるいは、そのようなハードウェアは、ケーブル２１６に含まれてもよい。
【００３４】
さらに、左インナーイヤー部２０６の外層は、左インナーイヤースピーカー１０８（左インナーイヤー部２０６内に収容されている）からの音と、左オーバーイヤースピーカー１１２（左オーバーイヤー部２０８内に収容されている）からの音とを通過させるための穴（例えば、ユーザーの外耳道に面する穴）と穴２２６（例えば、左オーバーイヤー部２０８に面する穴）とを含む柔らかい材料（例えば、布、発泡体、または音を通過させるのに適した他の任意の柔らかい材料）で形成されてもよい。左インナーイヤー部２０６の外層は、部分的に外耳道に挿入され、弾性変形して外耳道の形状に適応することができる弾力性のある材料（例えば、エラストマーまたはゴム）であってもよい。あるいは、左インナーイヤー部２０６の外層は、剛性を有し、左インナーイヤースピーカー１０８（左インナーイヤー部２０６内に収容されている）からの音と、左オーバーイヤースピーカー１１２（左オーバーイヤー部２０８内に収容されている）からの音とを通過させるための穴（例えば、ユーザーの外耳道に面する穴）と穴２２６（例えば、左オーバーイヤー部２０８に面する穴）と穴２２６（例えば、左オーバーイヤー部２０８に面する穴）とを含むプラスチック（または金属）で形成されていてもよい。これらの穴２２６は、左オーバーイヤースピーカー１１２からの音が（左インナーイヤー部２０６を介して）ユーザーの耳に最適に到達するように、六角形、八角形、または他の幾何学的なレイアウトで配置されてもよい。このような穴２２６は、左オーバーイヤースピーカー１１２からの直接音が（左インナーイヤー部２０６を介して）ユーザーの耳に到達することと、間接音（例えば、ユーザーの外耳道（またはユーザーの耳の任意の部分）またはヘッドフォンスピーカーシステムの任意の部分で反射する音）が（左インナーイヤー部２０６を介して）ユーザーの耳に到達することとの両方を最適化してもよい。あるいは、いくつかの実施形態では、左インナーイヤー部２０６の外層は、上述した材料の組み合わせで構成されてもよい。
【００３５】
同様に、右インナーイヤー部２０４の外層は、右インナーイヤースピーカー１１０（右インナーイヤー部２０４内に収容されている）からの音と、右オーバーイヤースピーカー１１４（右オーバーイヤー部２０２内に収容されている）からの音とを通過させるための穴（例えば、ユーザーの外耳道に面する穴）と穴２２８（例えば、右オーバーイヤー部２０２に面する穴）とを含む柔らかい材料（例えば、布、発泡体、または音を通過させるのに適した他の任意の柔らかい材料）で形成されてもよい。右インナーイヤー部２０４の外層は、部分的に外耳道に挿入され、弾性変形して外耳道の形状に適応することができる弾力性のある材料（例えば、エラストマーまたはゴム）であってもよい。あるいは、右インナーイヤー部２０４の外層は、剛性を有し、右インナーイヤースピーカー１１０（右インナーイヤー部２０４内に収容されている）からの音と、右オーバーイヤースピーカー１１４（右オーバーイヤー部２０８内に収容されている）からの音とを通過させるための穴（例えば、ユーザーの外耳道に面する穴）と穴２２８（例えば、右オーバーイヤー部２０２に面する穴）とを含むプラスチック（または金属）で形成されていてもよい。これらの穴２２８は、右オーバーイヤースピーカー１１４からの音が（右インナーイヤー部２０４を介して）ユーザーの耳に最適に到達するように、六角形、八角形、または他の幾何学的なレイアウトで配置されてもよい。このような穴２２８は、右オーバーイヤースピーカー１１４からの直接音が（右インナーイヤー部２０４を介して）ユーザーの耳に到達することと、間接音（例えば、ユーザーの外耳道（またはユーザーの耳の任意の部分）またはヘッドフォンスピーカーシステムの任意の部分で反射する音）が（右インナーイヤー部２０４を介して）ユーザーの耳に到達することとの両方を最適化してもよい。あるいは、いくつかの実施形態では、右インナーイヤー部２０４の外層は、上述した材料の組み合わせで構成されてもよい。
【００３６】
ユーザーがヘッドフォンスピーカーシステム１０６／１１６を着用すると、左オーバーイヤー部２０８は、ユーザーの左外耳道に被さるように構成され（例えば、左オーバーイヤー部２０８は、ユーザーの耳を完全に取り囲むことによってユーザーの耳に覆い被さってもよいし、ユーザーの耳の上に載置されてもよい）、右オーバーイヤー部２０２は、ユーザーの右外耳道に被さるように構成され（例えば、右オーバーイヤー部２０２は、ユーザーの耳を完全に取り囲むことによってユーザーの耳に覆い被さってもよいし、ユーザーの耳の上に載置されてもよい）、左インナーイヤー部２０６は、ユーザーの左外耳道内に少なくとも部分的に配置されるように構成され、右インナーイヤー部２０４は、ユーザーの右外耳道内に少なくとも部分的に配置されるように構成されている。
【００３７】
左インナーイヤー部２０６および右インナーイヤー部２０４をユーザーの外耳道内に少なくとも部分的に配置することにより、ユーザーの仮想環境の感覚の中で、ユーザーの面前で発生する音がより存在感のある音に聞こえるようになる。右オーバーイヤー部２０２および左オーバーイヤー部２０８をユーザーの外耳道の外側に配置することにより、右インナーイヤー部２０４および左インナーイヤー部２０６からの音と比較して、より音的に遠く離れた別個の効果としてユーザーに聞こえるサラウンド／環境効果（ユーザーによって音量を下げたり上げたりすることができる）をユーザーに提供することができる。インナーイヤー部（すなわち、左インナーイヤー部２０６および右インナーイヤー部２０４）およびオーバーイヤー部（すなわち、左オーバーイヤー部２０８および右オーバーイヤー部２０２）をユーザーの鼓膜からの距離において分離することにより、ユーザーの面前の音をユーザーの周囲の音よりも大きくすることができる。
【００３８】
オーバーイヤー部（すなわち、左オーバーイヤー部２０８および右オーバーイヤー部２０２）がユーザーの外耳道からより離れていることにより、オーバーイヤー部（すなわち、左オーバーイヤー部２０８および右オーバーイヤー部２０２）がユーザーの耳介（耳垂）と相互作用するという区別点が生じ、これにより、ユーザーは、これらの音（すなわち、左オーバーイヤー部２０８および右オーバーイヤー部２０２からの音）が、音の大きさおよび伝搬時間のために、耳から遠く離れていると考える（同じ音がインナーイヤー部とオーバーイヤー部で同時に再生された場合）。典型的なリスナーは、ヘッドフォンスピーカーシステム１０６／１１６におけるインナーイヤー部（すなわち、左インナーイヤー部２０６および右インナーイヤー部２０４）およびオーバーイヤー部（すなわち、左オーバーイヤー部２０８および右オーバーイヤー部２０２）の位置関係のために、自分がいる仮想環境のよりアンビエントで自然な効果を体験することになる。インナーイヤー部とオーバーイヤー部の位置関係は、ユーザーの外耳道や鼓膜からインナーイヤー部とオーバーイヤー部までの距離の違いにより、心理音響効果を発揮することになる。また、インナーイヤー部の配置により、ユーザーの面前の音が現実世界と同じように自然に聞こえるようになる。インナーイヤー部とオーバーイヤー部からの音は、通常のヘッドフォンのように全く同じ平面から出ているわけではないため、再生された音声によっては、ユーザーの脳はこれらの音を２つのソースとして解釈する。
【００３９】
左オーバーイヤー部２０８は、ケーブル２１２（図２Ａ〜２Ｃおよび２Ｆ参照）を使用して、左インナーイヤー部２０６に電気的に、物理的に、および可動的に接続されてもよい。あるいは、左ヒンジ２４２（図２Ｄ参照）は、左オーバーイヤー部２０８を左インナーイヤー部２０６に物理的かつ可動的に接続してもよい。左ヒンジ２４２は、プラスチックまたは金属製であってもよい。ケーブル２１２は、ケーブル２１２内に束ねられ、１つ以上のオーディオチャンネルを左インナーイヤースピーカー１０８に伝送する１つ以上の可撓性ワイヤ２３６を含んでもよい。ケーブル２１２は、柔軟性のある形状保持金属構造体内またはその周囲に埋め込まれていてもよい。これにより、左インナーイヤー部２０６を所望の位置に配置することができる。言い換えれば、ケーブル２１２は、左インナーイヤー部２０６に１つ以上のオーディオチャンネルを提供してもよく、左インナーイヤー部２０６を左オーバーイヤー部２０８に取り付けた状態に維持するための構造的な支持体として機能してもよい。左オーバーイヤー部２０８はまた、左インナーイヤー部２０６を物理的に収納するための凹部２５０（図２Ｆ参照）を含んでもよい。
【００４０】
同様に、右オーバーイヤー部２０２は、ケーブル２１４（図２Ａ〜２Ｃおよび２Ｅ参照）を使用して、右インナーイヤー部２０４に電気的に、物理的に、および可動的に接続されてもよい。あるいは、右ヒンジ２４０（図２Ｄ参照）は、右オーバーイヤー部２０２を右インナーイヤー部２０４に物理的かつ可動的に接続してもよい。右ヒンジ２４０は、プラスチックまたは金属製であってもよい。ケーブル２１４は、ケーブル２１４内に束ねられ、１つ以上のオーディオチャンネルを右インナーイヤースピーカー１１０に伝送する１つ以上の可撓性ワイヤ２３２を含んでもよい。ケーブル２１４は、柔軟性のある形状保持金属構造体内またはその周囲に埋め込まれていてもよい。これにより、右インナーイヤー部２０４を所望の位置に配置することができる。言い換えれば、ケーブル２１４は、右インナーイヤー部２０４に１つ以上のオーディオチャンネルを提供してもよく、右インナーイヤー部２０４を右オーバーイヤー部２０２に取り付けた状態に維持するための構造的な支持体として機能してもよい。右オーバーイヤー部２０２はまた、右インナーイヤー部２０４を物理的に収納するための凹部２５２（図２Ｅ参照）を含んでもよい。
【００４１】
図２Ａ〜２Ｆはまた、左オーバーイヤー部２０８と右オーバーイヤー部２０２とを物理的に接続するコネクタ部（ヘッドバンドと呼ばれることもある）２１０を例示する。コネクタ部２１０は、ヘッドフォンスピーカーシステム１０６／１１６内の異なるスピーカーにオーディオチャンネルを伝送するために使用され得る１つ以上の可撓性ワイヤ２３４を含んでもよい。さらに、コネクタ部２１０は、左オーバーイヤー部２０８および右オーバーイヤー部２０２を互いに取り付けた状態に維持するための支持構造体としても機能する。コネクタ部２１０は、ヘッドフォンスピーカーシステム１０６／１１６のユーザーがヘッドフォンスピーカーシステム１０６／１１６を快適かつ確実にユーザーの頭部に着用することを可能にするプラスチック（または金属）の硬い部分で形成されていてもよい。
【００４２】
さらに、図２Ａ〜２Ｆは、ヘッドフォンスピーカーシステム１０６／１１６に接続されるケーブル２１６を図示している。ケーブル２１６は、オーディオソース１０２に接続されてもよい１つ以上の可撓性ワイヤ２３０（ケーブル２１６内に束ねられている）を含んでもよい。オーディオソース１０２から受信されたオーディオ信号は、ケーブル２１６の１つ以上の可撓性ワイヤ２３０によって、ヘッドフォンスピーカーシステム１０６／１１６内の異なるスピーカーに伝送される。ケーブル２１６は、ＵＳＢコネクタタイプ、３．５ｍｍコネクタ、またはオーディオソースに接続可能な任意の他のタイプのコネクタであってもよい。ケーブル２１６は、柔軟性のある形状保持金属構造体内またはその周囲に埋め込まれていてもよい。
【００４３】
例１−プロセッサ１０４は、ヘッドフォンスピーカーシステム１０６の外部にあってもよい
【００４４】
一例において、プロセッサ１０４は、ヘッドフォンスピーカーシステム１０６の外部にあってもよい。この例では、オーディオソース１０２は、１つまたは複数のオーディオ信号をプロセッサ１０４に提供し、プロセッサ１０４は、１つまたは複数のオーディオ信号を複数のオーディオチャンネルに分離する。ケーブル２１６は、プロセッサ１０４に接続するケーブル２１６の１つまたは複数の可撓性ワイヤ２３０を介してプロセッサ１０４から複数のオーディオチャンネルを受信し、複数の異なるオーディオチャンネル（例えば、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、右サブウーファーオーディオチャンネル）を、（ケーブル２１６の１つまたは複数の可撓性ワイヤ２３０を介して）左オーバーイヤー部２０８、左インナーイヤー部２０６、右インナーイヤー部２０４、および右オーバーイヤー部２０２に伝送する。例えば、左インナーイヤー部２０６は左フロントオーディオチャンネルを受信してもよく、右インナーイヤー部２０４は右フロントオーディオチャンネルを受信してもよく、左オーバーイヤー部２０８は左サラウンドオーディオチャンネルを受信してもよく、右オーバーイヤー部２０２は右サラウンドオーディオチャンネルを受信してもよい。さらに、左インナーイヤー部２０６および右インナーイヤー部２０４は、それぞれ左センターオーディオチャンネルおよび右センターオーディオチャンネルを受信してもよく、左オーバーイヤー部２０８および右オーバーイヤー部２０２は、それぞれ左サブウーファオーディオチャンネルおよび右サブウーファオーディオチャンネルを受信してもよい。
【００４５】
ケーブル２１６は、複数のスピーカー（すなわち、左インナーイヤースピーカー１０８、右インナーイヤースピーカー１１０、左オーバーイヤースピーカー１１２、および右オーバーイヤースピーカー１１４）に複数のオーディオチャンネルを提供する１つまたは複数の可撓性ワイヤ２３０を含んでもよい。これらの可撓性ワイヤ２３０は、ケーブル２１６内に束ねられてもよく、これらの可撓性ワイヤ２３０の各々は、複数のスピーカーのうちの対応する１つのスピーカーに個別のオーディオチャンネルを提供してもよい。なお、ケーブル２１６内の各ワイヤ２３０は、ヘッドフォンスピーカーシステム１０６／１１６内の１つ以上のスピーカーに１つ以上のオーディオチャンネルを提供することができる。例えば、図２Ａ〜２Ｆに図示されているように、ケーブル２１６は、左オーバーイヤー部２０８に接続されてもよく、この接続に基づいて、（左オーバーイヤー部２０８内に収容されている）左オーバーイヤースピーカー１１２に１つ以上のオーディオチャンネルを提供してもよい。図２Ａ〜２Ｆにおいて、ケーブル２１６は左オーバーイヤー部２０８に接続されているように図示されているが、代替的に、ケーブル２１６は右オーバーイヤー部２０２に接続されてもよい。
【００４６】
さらに、ケーブル２１６は、左インナーイヤースピーカー１０８に接続する（ケーブル２１２内の）１つまたは複数の可撓性ワイヤ２３６との接続を介して、（左インナーイヤー部２０６内に収容されている）左インナーイヤースピーカー１０８に１つまたは複数のオーディオチャンネルを提供してもよい。コネクタ部２１０は、ケーブル２１６の１つまたは複数の可撓性ワイヤ２３０と、（右オーバーイヤー部２０２内に収容される）右オーバーイヤースピーカー１１４とに接続される１つまたは複数の可撓性ワイヤ２３４を含んでもよい。コネクタ部２１０内の１つ以上の可撓性ワイヤ２３４は、ケーブル２１６から（右オーバーイヤー部２０２内に収容されている）右オーバーイヤースピーカー１１４に１つ以上のオーディオチャンネルを伝送してもよい。さらに、コネクタ部２１０内の１つ以上の可撓性ワイヤ２３４は、ケーブル２１４の１つ以上の可撓性ワイヤ２３２に接続してもよく、これにより、ケーブル２１６はコネクタ部２１０内の１つ以上の可撓性ワイヤ２３４およびケーブル２１４内の１つ以上の可撓性ワイヤ２３２を介して１つ以上のオーディオチャンネルを（右インナーイヤー部２０４内に収容されている）右インナーイヤースピーカー１１０に伝送することができる。
【００４７】
複数のオーディオチャンネルが（図２Ａ〜２Ｆに図示されたインナーイヤー部およびオーバーイヤー部内に収容されている）インナーイヤースピーカーおよびオーバーイヤースピーカーに伝送された後、インナーイヤースピーカーおよびオーバーイヤースピーカー内の１つまたは複数のドライバ１０９、１１１、１１３、および１１５は、受信したオーディオチャンネル（例えば、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、および右サブウーファーオーディオチャンネル）を１つまたは複数の可聴音に変換する。例えば、左オーバーイヤースピーカー１１２は、左サラウンドオーディオチャンネルを左サラウンドサウンドに変換して左サラウンドサウンドを発生させ、右オーバーイヤースピーカー１１４は、右サラウンドオーディオチャンネルを右サラウンドサウンドに変換して右サラウンドサウンドを発生させ、左インナーイヤースピーカー１０８は、左フロントオーディオチャンネルを左フロントサウンドに変換して左フロントサウンドを発生させ、右インナーイヤースピーカー１１０は、右フロントオーディオチャンネルを右フロントサウンドに変換して右フロントサウンドを発生させる。さらに、例えば、左インナーイヤースピーカー１０８は、左センターオーディオチャンネルを左センターサウンドに変換して左センターサウンドを発生させ、右インナーイヤースピーカー１１０は、右センターオーディオチャンネルを右センターサウンドに変換して右センターサウンドを発生させ、左オーバーイヤースピーカー１１２は、左サブウーファーオーディオチャンネルを変換して左サブウーファーサウンドを発生させ、右オーバーイヤースピーカー１１４は、右サブウーファーオーディオチャンネルを変換して右サブウーファーサウンドを発生させる。
【００４８】
その結果、ヘッドフォンスピーカーシステム１０６のユーザーは、左オーバーイヤー部２０８および右オーバーイヤー部２０２を介して左サラウンドサウンド、右サラウンドサウンド、左サブウーファーサウンド、および／または右サブウーファーサウンドを聴き、左インナーイヤー部２０６および右インナーイヤー部２０４を介して左フロントサウンド、右フロントサウンド、左センターサウンド、および／または右センターサウンドを聴き取ることになる。左インナーイヤー部２０６（左インナーイヤースピーカー１０８を含む）および右インナーイヤー部２０４（右インナーイヤースピーカー１１０を含む）は、オーバーイヤー部／スピーカーからの音を通過させるための開口部を含む。
【００４９】
例２−プロセッサ１０４は、ヘッドフォンスピーカーシステム１１６の内部にあってもよい
【００５０】
代替的に、別の例では、プロセッサ１０４はヘッドフォンスピーカーシステム１１６の内部（例えば、ケーブル２１６内、またはヘッドフォンスピーカーシステム１１６の任意の他の部分）にあってもよい。このような場合、ケーブル２１６は、オーディオソース１０２からオーディオ信号を受信し、そのオーディオ信号を内部プロセッサ１０４に提供してもよい。プロセッサ１０４がオーディオ信号を複数のオーディオチャンネルに分離すると、プロセッサ１０４は、プロセッサ１０４と複数のスピーカーを接続する１つ以上の可撓性ワイヤを介して、複数のオーディオチャンネルを複数のスピーカーに送信してもよい。
【００５１】
図２Ａ〜２Ｆはケーブル２１６を図示しているが、ケーブル２１６の使用は任意である。すなわち、ヘッドフォンスピーカーシステム１０６／１１６は、オーディオ信号または異なるオーディオチャンネルを受信するために無線接続されてもよい。例えば、ヘッドフォンスピーカーシステム１０６／１１６は、無線信号の受信および送信が可能なトランシーバ（図示せず）を含んでもよい。無線信号の例としては、電波信号、赤外線信号、Ｂｌｕｅｔｏｏｏｔｈ信号、またはオーディオ信号またはオーディオチャンネルを含めることができる任意の他の無線信号が挙げられる。図２Ａ〜２Ｆのヘッドフォンスピーカーシステム１１６がプロセッサ１０４を含む場合（プロセッサ１０４は、図２Ａ〜２Ｆのヘッドフォンスピーカーシステム１１６の任意の部分に配置されてよい）、ヘッドフォンスピーカーシステム１１６のトランシーバは、オーディオソース（図１Ｂのオーディオソース１０２を参照）と無線通信して、オーディオソース１０２からのオーディオ信号を無線で受信し、トランシーバとプロセッサ１０４との間の有線接続を介して、受信したオーディオ信号をプロセッサ１０４に転送してもよい。オーディオ信号がプロセッサ１０４によって受信されると、プロセッサ１０４は、受信したオーディオ信号を異なるオーディオチャンネルに分離する。プロセッサ１０４は、異なるオーディオチャンネルをヘッドフォンスピーカーシステム１１６内の異なるスピーカーに伝送する１つ以上の可撓性ワイヤに接続されてもよい。
【００５２】
あるいは、図２Ａ〜２Ｆのヘッドフォンスピーカーシステム１０６がプロセッサ１０４を含まない場合（図１Ａ参照）、ヘッドフォンスピーカーシステム１０６は、プロセッサ１０４（この場合、ヘッドフォンスピーカーシステム１０６の外部にあってもよく、有線または無線接続を介してオーディオソース１０２に接続されていてもよい）から異なるオーディオチャンネルを無線で受信してもよい。例えば、ヘッドフォンスピーカーシステム１０６は、外部プロセッサ１０４に（例えば、有線接続を介して）接続されていてもよい別のトランシーバ（図示せず）との間で無線信号の受信および送信が可能なトランシーバ（図示せず）を含んでもよい。異なるオーディオチャンネルが外部プロセッサ１０４からヘッドフォンスピーカーシステム１０６のトランシーバによって無線で受信されると、ヘッドフォンスピーカーシステム１０６のトランシーバは、ヘッドフォンスピーカーシステム１０６内の異なるスピーカーに、１つ以上の可撓性ワイヤを介して（例えば、別のプロセッサ（図示せず）を介して）異なるオーディオチャンネルを送信してもよい。
【００５３】
さらに、図２Ａ、２Ｂ、および２Ｃは、ケーブル２１２、２１４を図示しているが、ケーブル２１２、２１４の使用は任意である。インナーイヤー部２０４、２０６は、プロセッサ１０４からオーディオチャンネルを無線で受信するように無線で接続されていてもよい。例えば、ヘッドフォンスピーカーシステム１０６／１１６は、インナーイヤー部２０４、２０６内のトランシーバ（図示せず）にオーディオチャンネルを送信してもよいトランシーバ（図示せず）を含んでもよい。いくつかの実施形態では、（図２Ｄに図示されているように）ヒンジ２４０、２４２を使用してオーバーイヤー部２０２、２０８に接続されているインナーイヤー部２０４、２０６は、オーディオチャンネルを無線で受信してもよい。
【００５４】
図２Ａ〜２Ｆのヘッドフォンスピーカーシステム１０６／１１６は、チャット機能のためのマイク２４４をさらに含んでもよい。チャット信号は、ヘッドフォンスピーカーシステム１０６／１１６によって無線でまたはケーブル２１６を介して受信されてもよく、ヘッドフォンスピーカーシステム１０６／１１６内の１つ以上の可撓性ワイヤを介して、左インナーイヤー部２０６（例えば、左インナーイヤースピーカー１０８）および右インナーイヤー部２０４（例えば、右インナーイヤースピーカー１１０）に伝送されてもよい。ユーザーの声は、ヘッドフォンスピーカーシステム１０６／１１６に取り付けられたマイク２４４を介して外部に伝送されてもよい。左右のインナーイヤー部２０６、２０４は、Ｂｌｕｅｔｏｏｔｈ接続を介して左右のオーバーイヤー部２０８、２０２に接続されてもよい。さらに、左右のインナーイヤー部２０６、２０４と左右のオーバーイヤー部２０８、２０２とは、Ｂｌｕｅｔｏｏｔｈを介して外部機器に接続されてもよい。
【００５５】
さらに、ヘッドフォンスピーカーシステム１０６／１１６は、インナーイヤースピーカー（すなわち、左インナーイヤースピーカー１０８および右インナーイヤースピーカー１１０）およびオーバーイヤースピーカー（すなわち、左オーバーイヤースピーカー１１２および右オーバーイヤースピーカー１１４）に電力を供給する充電式（例えば、充電可能な接続点を有してもよい小型リチウムイオンバッテリ）または使い捨てのバッテリ１１６（図１Ａおよび１Ｂ参照）をヘッドフォンスピーカーシステム１０６／１１６内に含んでもよい。プロセッサ１０４がヘッドフォンスピーカーシステム内にある場合（図１Ｂの実施形態を参照）、充電式または使い捨てのバッテリ１１６は、プロセッサ１０４にも電力を供給してもよい。あるいは、任意の他の電源（例えば、太陽電池）が、ヘッドフォンスピーカーシステム１０６／１１６内に含まれてもよい。
【００５６】
図３は、インナーイヤースピーカーおよびオーバーイヤースピーカーによってオーディオチャンネルを受信し、（オーディオチャンネルに基づいて生成された）オーディオサウンドをインナーイヤースピーカーおよびオーバーイヤースピーカーを介して出力する方法を説明する例示的なフローチャート３００を示している。ステップ３０２において、プロセッサ１０４（図１Ａおよび図１Ｂも参照）は、オーディオソース１０２（図１Ａおよび図１Ｂも参照）からオーディオ信号（または複数のオーディオ信号）を受信する。オーディオ信号は、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、および右サブウーファーオーディオチャンネルのうちの１つ以上を含むことができる。なお、プロセッサ１０４が受信するオーディオチャンネルは、上述したものに限定されるものではなく、他の任意のオーディオチャンネルを含むことができる。
【００５７】
プロセッサ１０４がオーディオ信号を受信すると、ステップ３０４において、プロセッサ１０４は、オーディオ信号を複数の異なるオーディオチャンネル（またはコンポーネント）に分離する。例えば、プロセッサ１０４がオーディオ信号を受信すると、プロセッサ１０４はオーディオ信号を、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、右サブウーファーオーディオチャンネルに分離してもよい。
【００５８】
プロセッサ１０４によってオーディオチャンネルに分離されると、これら分離されたオーディオチャンネルは、ステップ３０６において、左インナーイヤースピーカー１０８、右インナーイヤースピーカー１１０、左オーバーイヤースピーカー１１２、右オーバーイヤースピーカー１１４に伝送／送信される（図１Ａおよび図１Ｂも参照）。ステップ３０８において、（少なくとも部分的にユーザーの外耳道内に配置されるように構成されている）インナーイヤースピーカーおよび（ユーザーの外耳道の外側に配置されるように構成されている）オーバーイヤースピーカーは、プロセッサ１０４から伝送／送信される複数のオーディオチャンネルを受信する。例えば、左インナーイヤースピーカー１０８は左フロントオーディオチャンネルを受信してもよく、右インナーイヤースピーカー１１０は右フロントオーディオチャンネルを受信してもよく、左オーバーイヤースピーカー１１２は左サラウンドオーディオチャンネルを受信してもよく、右オーバーイヤースピーカー１１４は右サラウンドオーディオチャンネルを受信してもよい。さらに、左インナーイヤースピーカー１０８および右インナーイヤースピーカー１１０は、それぞれ左センターオーディオチャンネルおよび右センターオーディオチャンネルを受信してもよく、左オーバーイヤースピーカー１１２および右オーバーイヤースピーカー１１４は、それぞれ左サブウーファオーディオチャンネルおよび右サブウーファオーディオチャンネルを受信してもよい。
【００５９】
ステップ３１０では、インナーイヤースピーカーおよびオーバーイヤースピーカーは、受信したオーディオチャンネルに基づいてオーディオサウンドを生成する。例えば、スピーカーの各々（すなわち、左インナーイヤースピーカー１０８、右インナーイヤースピーカー１１０、左オーバーイヤースピーカー１１２、および右オーバーイヤースピーカー１１４）は、受信したオーディオチャンネル（例えば、左サラウンドオーディオチャンネル、右サラウンドオーディオチャンネル、左フロントオーディオチャンネル、右フロントオーディオチャンネル、左センターオーディオチャンネル、右センターオーディオチャンネル、左サブウーファーオーディオチャンネル、および右サブウーファーオーディオチャンネル）を１つ以上の可聴音に変換する１つ以上のドライバ１０９、１１１、１１３、および１１５を含んでもよい。例えば、左オーバーイヤースピーカー１１２は、左サラウンドオーディオチャンネルを左サラウンドサウンドに変換して左サラウンドサウンドを発生させ、右オーバーイヤースピーカー１１４は、右サラウンドオーディオチャンネルを右サラウンドサウンドに変換して右サラウンドサウンドを発生させ、左インナーイヤースピーカー１０８は、左フロントオーディオチャンネルを左フロントサウンドに変換して左フロントサウンドを発生させ、右インナーイヤースピーカー１１０は、右フロントオーディオチャンネルを右フロントサウンドに変換して右フロントサウンドを発生させる。さらに、例えば、左インナーイヤースピーカー１０８は、左センターオーディオチャンネルを左センターサウンドに変換して左センターサウンドを発生させ、右インナーイヤースピーカー１１０は、右センターオーディオチャンネルを右センターサウンドに変換して右センターサウンドを発生させ、左オーバーイヤースピーカー１１２は、左サブウーファーオーディオチャンネルを変換して左サブウーファーサウンドを発生させ、右オーバーイヤースピーカー１１４は、右サブウーファーオーディオチャンネルを変換して右サブウーファーサウンドを発生させる。
【００６０】
ステップ３１２では、ステップ３１０で説明した異なる音が、各スピーカー（すなわち、左インナーイヤースピーカー１０８、右インナーイヤースピーカー１１０、左オーバーイヤースピーカー１１２、右オーバーイヤースピーカー１１４）を介してユーザーの耳に出力される。すなわち、左サラウンドサウンド、右サラウンドサウンド、左サブウーファーサウンド、および／または右サブウーファーサウンドが、左オーバーイヤースピーカー１１２および右オーバーイヤースピーカー１１４（ここで、左オーバーイヤースピーカー１１２および右オーバーイヤースピーカー１１４は、それぞれユーザーの左外耳道および右外耳道の外側に配置されるように構成されている）を介して、ユーザーの耳に出力され、左フロントサウンド、右フロントサウンド、左センターサウンド、および／または右センターサウンドが、左インナーイヤースピーカー１０８および右インナーイヤースピーカー１１０（ここで、左インナーイヤースピーカー１０８および右インナーイヤースピーカー１１０は、それぞれユーザーの左外耳道および右外耳道内に少なくとも部分的に配置されるように構成されている）を介して、ユーザーに出力される。
【００６１】
現時点で最も実用的であり好ましいと考えられる態様に基づいて本発明を例示のために詳細に説明したが、このような詳細な説明は例示を目的としたものに過ぎないと理解されたい。本発明は開示された実施形態に限定されるものではなく、むしろ、添付された特許請求の範囲の趣旨及び範囲に入る変形や均等な構成も本発明に含められることが意図されている。例えば、本発明においては任意の実施形態の１または複数の特徴を他の任意の実施形態の１または複数の特徴と可能な限り結合するものと理解されたい。
【００６２】
本技術は以下に列挙する実施形態を参照することで理解がより深まる。
実施形態１
一又は複数のサラウンドサウンドプロセッサからオーディオ信号の左サラウンドオーディオチャンネルを受信するように構成されるとともに、ユーザーの左外耳道の外側に配置されるように構成された左オーバーイヤースピーカーと、
前記一又は複数のサラウンドサウンドプロセッサから前記オーディオ信号の右サラウンドオーディオチャンネルを受信するように構成されるとともに、前記ユーザーの右外耳道の外側に配置されるように構成された右オーバーイヤースピーカーと、
前記一又は複数のサラウンドサウンドプロセッサから前記オーディオ信号の左フロントオーディオチャンネルを受信するように構成されるとともに、少なくとも部分的に前記ユーザーの左外耳道の内部に配置されるように構成された左インナーイヤースピーカーと、
前記一又は複数のサラウンドサウンドプロセッサから前記オーディオ信号の右フロントオーディオチャンネルを受信するように構成されるとともに、少なくとも部分的に前記ユーザーの右外耳道の内部に配置されるように構成された右インナーイヤースピーカーと、
を備える、ヘッドフォンスピーカーシステム。
実施形態２
前記左オーバーイヤースピーカーは、前記左サラウンドオーディオチャンネルに基づいて左サラウンドサウンドを生成するように構成され、
前記右オーバーイヤースピーカーは、前記右サラウンドオーディオチャンネルに基づいて右サラウンドサウンドを生成するように構成され、
前記左インナーイヤースピーカーは、前記左フロントオーディオチャンネルに基づいて左フロントサウンドを生成するように構成され、
前記右インナーイヤースピーカーは、前記右フロントオーディオチャンネルに基づいて右フロントサウンドを生成するように構成される、
実施形態１に記載のヘッドフォンスピーカーシステム。
実施形態３
前記左インナーイヤースピーカーは、前記一又は複数のサラウンドサウンドプロセッサから前記オーディオ信号の左センターオーディオチャンネルを受信するように構成されるとともに、前記左センターオーディオチャンネルに基づいて左センターサウンドを生成するように構成され、
前記右インナーイヤースピーカーは、前記一又は複数のサラウンドサウンドプロセッサから前記オーディオ信号の右センターオーディオチャンネルを受信するように構成されるとともに、前記右センターオーディオチャンネルに基づいて右センターサウンドを生成するように構成される、
実施形態１または２に記載のヘッドフォンスピーカーシステム。
実施形態４
前記左オーバーイヤースピーカーは、前記一又は複数のサラウンドサウンドプロセッサから前記オーディオ信号の左サブウーファーオーディオチャンネルを受信するように構成されるとともに、前記左サブウーファーオーディオチャンネルに基づいて左サブウーファーサウンドを生成するように構成され、
前記右オーバーイヤースピーカーは、前記一又は複数のサラウンドサウンドプロセッサから前記オーディオ信号の右サブウーファーオーディオチャンネルを受信するように構成されるとともに、前記右サブウーファーオーディオチャンネルに基づいて右サブウーファーサウンドを生成するように構成される、
実施形態１から３のいずれかに記載のヘッドフォンスピーカーシステム。
実施形態５
前記左インナーイヤースピーカーを収容する前記ヘッドフォンスピーカーシステムの左インナーイヤー部と、前記左オーバーイヤースピーカーを収容する前記ヘッドフォンスピーカーシステムの左オーバーイヤー部とを可動的に接続する左ケーブルと、
前記右インナーイヤースピーカーを収容する前記ヘッドフォンスピーカーシステムの右インナーイヤー部と、前記右オーバーイヤースピーカーを収容する前記ヘッドフォンスピーカーシステムの右オーバーイヤー部とを可動的に接続する右ケーブルと、
をさらに備える、実施形態１から４のいずれかに記載のヘッドフォンスピーカーシステム。
実施形態６
前記左インナーイヤースピーカーを収容する前記ヘッドフォンスピーカーシステムの左インナーイヤー部と、前記左オーバーイヤースピーカーを収容する前記ヘッドフォンスピーカーシステムの左オーバーイヤー部とを可動的に接続する左ヒンジと、
前記右インナーイヤースピーカーを収容する前記ヘッドフォンスピーカーシステムの右インナーイヤー部と、前記右オーバーイヤースピーカーを収容する前記ヘッドフォンスピーカーシステムの右オーバーイヤー部とを可動的に接続する右ヒンジと、
をさらに備える、実施形態１から５のいずれかに記載のヘッドフォンスピーカーシステム。
実施形態７
前記左インナーイヤースピーカーは、前記左オーバーイヤースピーカーからの音を通過させる少なくとも１つの開口部を有し、
前記右インナーイヤースピーカーは、前記右オーバーイヤースピーカーからの音を通過させる少なくとも１つの開口部を有する、
実施形態１から６のいずれかに記載のヘッドフォンスピーカーシステム。
実施形態８
前記一又は複数のサラウンドサウンドプロセッサをさらに備え、
前記一又は複数のサラウンドサウンドプロセッサは、
外部オーディオソースから前記オーディオ信号を受信し、
前記オーディオ信号を、前記左サラウンドオーディオチャンネルと、前記右サラウンドオーディオチャンネルと、前記左フロントオーディオチャンネルと、前記右フロントオーディオチャンネルとに分離し、
前記左サラウンドオーディオチャンネルを前記左オーバーイヤースピーカーに、前記右サラウンドオーディオチャンネルを前記右オーバーイヤースピーカーに、前記左フロントオーディオチャンネルを前記左インナーイヤースピーカーに、前記右フロントオーディオチャンネルを前記右インナーイヤースピーカーに、それぞれ出力するようにプログラムされている、
実施形態１から７のいずれかに記載のヘッドフォンスピーカーシステム。
実施形態９
前記一又は複数のサラウンドサウンドプロセッサは、前記左サラウンドオーディオチャンネルに基づく左サラウンドサウンド、前記右サラウンドオーディオチャンネルに基づく右サラウンドサウンド、前記左フロントオーディオチャンネルに基づく左フロントサウンド、および前記右フロントオーディオチャンネルに基づく右フロントサウンドが前記ユーザーの耳に同時に聞こえるように、前記左フロントオーディオチャンネルおよび前記右フロントオーディオチャンネルの出力を所定量だけ遅延させるようにプログラムされている、実施形態１から８のいずれかに記載のヘッドフォンスピーカーシステム。
実施形態１０
前記所定量は、前記左オーバーイヤースピーカーと前記左インナーイヤースピーカーとの間の距離、および前記右オーバーイヤースピーカーと前記右インナーイヤースピーカーとの間の距離に基づく、実施形態１から９のいずれかに記載のヘッドフォンスピーカーシステム。
実施形態１１
前記一又は複数のサラウンドサウンドプロセッサは、ユーザー入力に基づいて前記オーディオ信号の複数の周波数のゲインを調整するようにプログラムされている、実施形態１から１０のいずれかに記載のヘッドフォンスピーカーシステム。
実施形態１２
前記左オーバーイヤースピーカーは、前記左サラウンドサウンドが前記ユーザーの左外耳道に直接向けられるように配置され、
前記右オーバーイヤースピーカーは、前記右サラウンドサウンドが前記ユーザーの右外耳道に直接向けられるように配置され、
前記左インナーイヤースピーカーは、前記左フロントサウンドが前記ユーザーの左外耳道に直接向けられるように配置され、
前記右インナーイヤースピーカーは、前記右フロントサウンドが前記ユーザーの右外耳道に直接向けられるように配置される、
実施形態１から１１のいずれかに記載のヘッドフォンスピーカーシステム。
実施形態１３
前記一又は複数のサラウンドサウンドプロセッサは、有線または無線の接続を介して外部オーディオソースから前記オーディオ信号を受信するようにプログラムされている、実施形態１から１２のいずれかに記載のヘッドフォンスピーカーシステム。
実施形態１４
前記一又は複数のサラウンドサウンドプロセッサ、前記左オーバーイヤースピーカー、前記右オーバーイヤースピーカー、前記左インナーイヤースピーカー、および前記右インナーイヤースピーカーに電力を供給するように構成された充電式バッテリをさらに備える、実施形態１から１３のいずれかに記載のヘッドフォンスピーカーシステム。
実施形態１５
前記左オーバーイヤースピーカーは、前記左サラウンドオーディオチャンネルを左サラウンドサウンドに変換するように構成された少なくとも１つのドライバーを含み、
前記右オーバーイヤースピーカーは、前記右サラウンドオーディオチャンネルを右サラウンドサウンドに変換するように構成された少なくとも１つのドライバーを含み、
前記左インナーイヤースピーカーは、前記左フロントオーディオチャンネルを左フロントサウンドに変換するように構成された少なくとも１つのドライバーを含み、
前記右インナーイヤースピーカーは、前記右フロントオーディオチャンネルを右フロントサウンドに変換するように構成された少なくとも１つのドライバーを含む、
実施形態１から１４のいずれかに記載のヘッドフォンスピーカーシステム。
実施形態１６
前記一又は複数のサラウンドサウンドプロセッサは、前記左オーバーイヤースピーカー、前記右オーバーイヤースピーカー、前記左インナーイヤースピーカー、および前記右インナーイヤースピーカーに一又は複数のワイヤを介して接続されている、実施形態１から１５のいずれかに記載のヘッドフォンスピーカーシステム。
実施形態１７
前記一又は複数のサラウンドサウンドプロセッサは、前記左オーバーイヤースピーカー、前記右オーバーイヤースピーカー、前記左インナーイヤースピーカー、および前記右インナーイヤースピーカーに無線接続されている、実施形態１から１６のいずれかに記載のヘッドフォンスピーカーシステム。
実施形態１８
前記左オーバーイヤースピーカーを収容する前記ヘッドフォンスピーカーシステムの左オーバーイヤー部と、前記右オーバーイヤースピーカーを収容する前記ヘッドフォンスピーカーシステムの右オーバーイヤー部とを物理的に接続するコネクタ部をさらに備える、実施形態１から１７のいずれかに記載のヘッドフォンスピーカーシステム。
実施形態１９
ヘッドフォンスピーカーシステムによってオーディオ信号のオーディオチャンネルを受信する方法であって、
前記ヘッドフォンスピーカーシステムの左オーバーイヤースピーカーによって、一又は複数のサラウンドサウンドプロセッサから前記オーディオ信号の左サラウンドオーディオチャンネルを受信する工程であって、前記左オーバーイヤースピーカーはユーザーの左外耳道の外側に配置されるように構成される、工程と、
前記ヘッドフォンスピーカーシステムの右オーバーイヤースピーカーによって、前記一又は複数のサラウンドサウンドプロセッサから前記オーディオ信号の右サラウンドオーディオチャンネルを受信する工程であって、前記右オーバーイヤースピーカーは前記ユーザーの右外耳道の外側に配置されるように構成される、工程と、
前記ヘッドフォンスピーカーシステムの左インナーイヤースピーカーによって、前記一又は複数のサラウンドサウンドプロセッサから前記オーディオ信号の左フロントオーディオチャンネルを受信する工程であって、前記左インナーイヤースピーカーは少なくとも部分的に前記ユーザーの左外耳道の内部に配置されるように構成される、工程と、
前記ヘッドフォンスピーカーシステムの右インナーイヤースピーカーによって、前記一又は複数のサラウンドサウンドプロセッサから前記オーディオ信号の右フロントオーディオチャンネルを受信する工程であって、前記右インナーイヤースピーカーは少なくとも部分的に前記ユーザーの右外耳道の内部に配置されるように構成される、工程と、
を備える方法。
実施形態２０
前記左オーバーイヤースピーカーによって、受信した前記左サラウンドオーディオチャンネルに基づいて左サラウンドサウンドを生成する工程と、
前記右オーバーイヤースピーカーによって、受信した前記右サラウンドオーディオチャンネルに基づいて右サラウンドサウンドを生成する工程と、
前記左インナーイヤースピーカーによって、受信した前記左フロントオーディオチャンネルに基づいて左フロンサウンドを生成する工程と、
前記右インナーイヤースピーカーによって、受信した前記右フロントオーディオチャンネルに基づいて右フロンサウンドを生成する工程と、
をさらに備える、実施形態１９に記載の方法。
【図１Ａ】
2021516900.tif 000003
【図１Ｂ】
2021516900.tif 000004
【図２Ａ】
2021516900.tif 000005
【図２Ｂ】
2021516900.tif 000006
【図２Ｃ】
2021516900.tif 000007
【図２Ｄ】
2021516900.tif 000008
【図２Ｅ】
2021516900.tif 000009
【図２Ｆ】
2021516900.tif 000010
【図３】
2021516900.tif 000011
【国際調査報告】
2021516900.tif 000012